(57)【要約】【課題】前後両側から内部を視認可能で、かつ優れた強度を有する収納什器を提供する。【解決手段】収納什器２は、一対の側板１１，１２と、一対の側板１１，１２同士を接続する天板１４および底板１６と、一対の側板１１，１２の後端部、天板１４の後端部および底板１６の後端部に固定された後面板１８と、一対の側板１１，１２の間において後面板１８に沿って配置された枠体２０と、を備える。枠体２０は、左側板１１に沿って配置され、左側板１１に固定された第１縦杆２１と、右側板１２に沿って配置され、右側板１２に固定された第２縦杆２２と、第１縦杆２１の上端部２１ａと第２縦杆２２の上端部２２ａとを連結する第１横杆２４と、第１縦杆２１の下端部２１ｂと第２縦杆２２の下端部２２ｂとを連結する第２横杆２５と、を備える。後面板１８は、前後方向から見て枠体２０の内側において前後方向に貫通した開口部１９を有する。【選択図】図２
2018068810.tif 000002
【特許請求の範囲】
【請求項１】
左右方向に間隔をあけて対向配置された一対の側板と、
前記一対の側板の上端部同士を接続する天板と、
前記天板に対向配置され、前記一対の側板の下端部同士を接続する底板と、
前記一対の側板の後端部、前記天板の後端部および前記底板の後端部のうち少なくともいずれか１つに固定された後面板と、
前記一対の側板の間において前記後面板に沿って配置された枠体と、
を備え、
前記枠体は、
第１の前記側板に沿って配置され、前記第１の側板に固定された第１縦杆と、
第２の前記側板に沿って配置され、前記第２の側板に固定された第２縦杆と、
前記第１縦杆の上端部と前記第２縦杆の上端部とを連結する第１横杆と、
前記第１縦杆の下端部と前記第２縦杆の下端部とを連結する第２横杆と、
を備え、
前記後面板は、前後方向から見て前記枠体の内側において前後方向に貫通した開口部を有する、
収納什器。
【請求項２】
前記第１横杆は、前記天板に沿って配置されるとともに、前記天板に固定されている、
請求項１に記載の収納什器。
【請求項３】
前記第２横杆と前記底板との距離は、前記天板と前記底板との距離の１／３よりも大きい、
請求項１または２に記載の収納什器。
【請求項４】
前記一対の側板、前記天板および前記底板により囲われた空間を前記後面板とは反対側において開閉する引戸を設置可能に形成されている、
請求項１から３のいずれか１項に記載の収納什器。
【発明の詳細な説明】
【技術分野】
【０００１】
本発明は、収納什器に関するものである。
【背景技術】
【０００２】
収納什器として、一対の側板と天板と底板と後面板とを備えた構成が知られている。
例えば、下記特許文献１には、金属板を折り曲げて成形してなる頂板、底板、背板、左右一対の側板を筐形に組み付けることによって前面を開口させた収納空間を形成する収納家具が開示されている。また、下記特許文献２には、金属板である一枚の板金を折り曲げることによって背板及び左右の側板からなる背側板を形成し、その上下に、同じく板金製の天板及び底板を取り付けて、前方を開口部とした家具の筐体が開示されている。
【先行技術文献】
【特許文献】
【０００３】
【特許文献１】特開２００５−２７８７１９号公報
【特許文献２】特開２００９−１０１０９７号公報
【発明の概要】
【発明が解決しようとする課題】
【０００４】
ところで、上述した収納什器は、その設置空間を、収納什器を挟んだ前側と後側とに分け隔てるように設置されることがある。具体的に、収納什器は、例えば学校の教室と廊下とを隔てる位置に、前面の開口を教室側に向けた状態で設置されることがある。この場合、後面板に開口部を形成することで、廊下側から開口部を通じて収納什器の内部を視認することが可能となる。これにより、収納什器の収容物を教室側および廊下側の双方から確認することが可能となる。しかしながら、後面板に開口部を形成すると、後面板の強度が低下する。後面板には、一対の側板、天板および底板のうち少なくともいずれか１つが接続されているので、後面板の強度の低下に伴い、収納什器全体の強度が低下する場合がある。
【０００５】
そこで本発明は、前後両側から内部を視認可能で、かつ優れた強度を有する収納什器を提供するものである。
【課題を解決するための手段】
【０００６】
本発明の収納什器は、左右方向に間隔をあけて対向配置された一対の側板と、前記一対の側板の上端部同士を接続する天板と、前記天板に対向配置され、前記一対の側板の下端部同士を接続する底板と、前記一対の側板の後端部、前記天板の後端部および前記底板の後端部のうち少なくともいずれか１つに固定された後面板と、前記一対の側板の間において前記後面板に沿って配置された枠体と、を備え、前記枠体は、第１の前記側板に沿って配置され、前記第１の側板に固定された第１縦杆と、第２の前記側板に沿って配置され、前記第２の側板に固定された第２縦杆と、前記第１縦杆の上端部と前記第２縦杆の上端部とを連結する第１横杆と、前記第１縦杆の下端部と前記第２縦杆の下端部とを連結する第２横杆と、を備え、前記後面板は、前後方向から見て前記枠体の内側において前後方向に貫通した開口部を有する。
【０００７】
この構成では、開口部の周囲に第１縦杆、第２縦杆、第１横杆および第２横杆を備える枠体が配置される。第１縦杆は、第１の側板に固定されているので、開口部の周囲において第１の側板を補強することができる。第２縦杆は、第２の側板に固定されているので、開口部の周囲において第２の側板を補強することができる。第１横杆は、第１縦杆の上端部と第２縦杆の上端部とを連結するので、第１縦杆および第２縦杆を介して一対の側板の相対位置が変位することを抑制できる。第２横杆は、第１縦杆の下端部と第２縦杆の下端部とを連結するので、第１縦杆および第２縦杆を介して一対の側板の相対位置が変位することを抑制できる。よって、前後方向に貫通した開口部を有する後面板を備えることにより収納什器の内部を前後両側から視認可能としつつ、強度が低下した開口部周辺を枠体により補強することができる。したがって、前後両側から内部を視認可能で、かつ優れた強度を有する収納什器を提供できる。
【０００８】
上記の収納什器において、前記第１横杆は、前記天板に沿って配置されるとともに、前記天板に固定されていてもよい。
【０００９】
この構成によれば、第１縦杆および第１横杆を介して第１の側板と天板とが接続され、第２縦杆および第１横杆を介して第２の側板と天板とが接続される。よって、一対の側板と天板との相対位置が変位することを抑制できる。したがって、収納什器の強度をより向上させることができる。
【００１０】
上記の収納什器において、前記第２横杆と前記底板との距離は、前記天板と前記底板との距離の１／３よりも大きくてもよい。
【００１１】
この構成によれば、荷重が大きくかかる後面板の下部に開口部が設けられることを回避できる。これにより、後面板の下部に開口部が設けられる構成と比較して、収納什器の強度を向上させることができる。
【００１２】
上記の収納什器において、前記一対の側板、前記天板および前記底板により囲われた空間を前記後面板とは反対側において開閉する引戸を設置可能に形成されていてもよい。
【００１３】
この構成によれば、引戸により収納什器の内部を体裁よく閉塞することを可能にしつつ、収納什器の内部を引戸側の開口および後面板の開口部の両方から視認できる。
【発明の効果】
【００１４】
本発明によれば、前後両側から内部を視認可能で、かつ優れた強度を有する収納什器を提供できる。
【図面の簡単な説明】
【００１５】
【図１】実施形態に係る収納什器ユニットの斜視図である。
【図２】実施形態に係る収納什器ユニットの内部構成を示す正面図である。
【図３】実施形態に係る収納什器ユニットの平面図である。
【図４】図１のＩＶ−ＩＶ線における断面図である。
【図５】実施形態に係る収納什器ユニットの背面図である。
【発明を実施するための形態】
【００１６】
以下、本発明の実施形態を図面に基づいて説明する。
図１は、実施形態に係る収納什器ユニットの斜視図である。
図１に示すように、収納什器ユニット１は、一対の収納什器２と、一対の引戸３と、を備えている。収納什器ユニット１は、水平な設置面Ｆ上に設置されている。
【００１７】
図２は、実施形態に係る収納什器ユニットの内部構成を示す正面図であって、引戸を取り外した状態を示すものある。図３は、実施形態に係る収納什器ユニットの平面図である。図４は、図１のＩＶ−ＩＶ線における断面図である。
図１から図４に示すように、各収納什器２は、直方体状に形成され、水平の一方向に向かって略全体が開口する収納空間Ｓを内部に有している。なお、以下の説明では、収納空間Ｓの略全体が開口する方向を前方と定義し、その反対側を後方と定義する。また、水平方向における前後方向に直交する方向を左右方向と称するとともに、前方から見た左側を左方と定義し、その反対側の右方と定義する。また、各図中において、矢印ＵＰは上方を示し、矢印ＦＲは前方を示し、矢印ＬＨは左方を示している。
【００１８】
図２に示すように、収納什器２は、左右方向に間隔をあけて対向配置された一対の側板１１，１２と、一対の側板１１，１２の上端部１１ａ，１２ａ同士を接続する天板１４と、天板１４に対向配置され、一対の側板１１，１２の下端部１１ｂ，１２ｂ同士を接続する底板１６と、一対の側板１１，１２、天板１４および底板１６により囲われた収納空間Ｓを後方から塞ぐように配置された後面板１８と、を備えている。
【００１９】
図２および図４に示すように、一対の側板１１，１２は、左方に配置された左側板１１と、右方に配置された右側板１２と、を含んでいる。各側板１１，１２は、鋼板等の金属板により形成されている。左側板１１は、左右方向から見て上下方向および前後方向の双方向に沿って延びる矩形状に形成されている。左側板１１の前端部１１ｃおよび後端部１１ｄは、それぞれ左右方向の外側（左方）に向かって略直角に屈曲している。右側板１２は、左右方向から見て左側板１１と略同形同大に形成されている。右側板１２の前端部１２ｃおよび後端部１２ｄは、それぞれ左右方向の外側（右方）に向かって略直角に屈曲している。なお、各側板１１，１２の左右方向における外側には、側板１１，１２を覆うようにパネル部材（不図示）が配置されていてもよい。
【００２０】
図２および図３に示すように、天板１４は、鋼板等の金属板により形成されている。天板１４は、前後方向および左右方向の双方向に沿って延びる矩形状に形成されている。天板１４の左端部は、左側板１１の上端部１１ａに対して溶接等により固定されている。天板１４の右端部は、右側板１２の上端部１２ａに対して溶接等により固定されている。天板１４の前後方向の寸法は、一対の側板１１，１２の前後方向の寸法よりも大きくなっている。天板１４の後端部１４ａは、一対の側板１１，１２の後端部１１ｄ，１２ｄ（図４参照）と前後方向の同じ位置に位置している。天板１４の前端部は、一対の側板１１，１２の前端部１１ｃ，１２ｃよりも前方に向かって突出している。
【００２１】
図２に示すように、底板１６は、鋼板等の金属板により形成されている。底板１６は、上下方向から見て天板１４と略同形同大に形成されている。底板１６の左端部は、左側板１１の下端部１１ｂに対して溶接等により固定されている。底板１６の右端部は、右側板１２の下端部１２ｂに対して溶接等により固定されている。底板１６の後端部１６ａ（図１参照）は、一対の側板１１，１２の後端部１１ｄ，１２ｄ（図４参照）と前後方向の同じ位置に位置している。底板１６の前端部は、一対の側板１１，１２の前端部１１ｃ，１２ｃよりも前方に向かって突出している。底板１６は、設置面Ｆ上に設置されている。
【００２２】
図５は、実施形態に係る収納什器ユニットの背面図である。
図５に示すように、後面板１８は、鋼板等の金属板により形成されている。後面板１８は、上下方向および左右方向の双方向に沿って延びる矩形状に形成されている。後面板１８は、一対の側板１１，１２の後端部１１ｄ，１２ｄ（図４参照）、天板１４の後端部１４ａ（図３参照）、および底板１６の後端部１６ａ（図１参照）に対して溶接等により固定されている。後面板１８には、前後方向に貫通する開口部１９が形成されている。開口部１９の詳細については後述する。
【００２３】
図２に示すように、収納什器２は、一対の側板１１，１２の間に配置された矩形枠状の枠体２０をさらに備えている。枠体２０は、一対の縦杆２１，２２と、一対の横杆２４，２５と、を備えている。
【００２４】
一対の縦杆２１，２２は、第１縦杆２１と、第２縦杆２２と、を含んでいる。各縦杆２１，２２は、例えば四角柱状に形成され、上下方向に沿って延在している。
第１縦杆２１は、収納空間Ｓにおける左方かつ後方の隅部において、左側板１１の内面および後面板１８の内面に沿って配置されている（図４参照）。第１縦杆２１は、左側板１１に対し、左側板１１の外側（左方）から挿通された図示しないボルト等により固定されている。第１縦杆２１および左側板１１を固定するボルトの頭は、左側板１１における前端部１１ｃと後端部１１ｄとの間に配置される。これにより、ボルトの頭が前後方向から見て収納什器２から突出することが抑制されている。
【００２５】
第２縦杆２２は、収納空間Ｓにおける右方かつ後方の隅部において、右側板１２の内面および後面板１８の内面に沿って配置されている（図４参照）。第２縦杆２２は、右側板１２に対し、右側板１２の外側（右方）から挿通された図示しないボルト等により固定されている。第２縦杆２２および右側板１２を固定するボルトの頭は、右側板１２における外側に向かって屈曲した前端部１２ｃと後端部１２ｄの間に配置される。これにより、ボルトの頭が前後方向から見て収納什器２から突出することが抑制されている。
【００２６】
一対の横杆２４，２５は、第１横杆２４と、第２横杆２５と、を含んでいる。各横杆２４，２５は、例えば一対の縦杆２１，２２と同一の横断面形状を有する四角柱状に形成され、左右方向に沿って延在している。
第１横杆２４は、第１縦杆２１の上端部２１ａと第２縦杆２２の上端部２２ａとを連結している。第１横杆２４は、収納空間Ｓにおける上方かつ後方の隅部において、天板１４の内面および後面板１８の内面に沿って配置されている。第１横杆２４の左端部は、左側板１１に対して左右方向に当接または近接している。また、第１横杆２４の左端部は、第１縦杆２１の上端部２１ａの上方に配置され、第１縦杆２１の上端部２１ａに対して溶着等により固定されている。第１横杆２４の右端部は、右側板１２に対して左右方向に当接または近接している。また、第１横杆２４の右端部は、第２縦杆２２の上端部２２ａの上方に配置され、第２縦杆２２の上端部２２ａに対して溶着等により固定されている。第１横杆２４は、天板１４に対し、天板１４の外側（上方）から挿通された図示しないボルト等により固定されている。
【００２７】
第２横杆２５は、第１縦杆２１の下端部２１ｂと第２縦杆２２の下端部２２ｂとを連結している。第２横杆２５は、後面板１８の内面に沿って配置されている。第２横杆２５と底板１６との距離Ｄ１は、天板１４と底板１６との距離Ｄ２の１／３よりも大きくなっている。第２横杆２５の左端部は、左側板１１に対して左右方向に当接または近接している。また、第２横杆２５の左端部は、第１縦杆２１の下端部２１ｂの下方に配置され、第１縦杆２１の下端部２１ｂに対して溶着等により固定されている。第２横杆２５の右端部は、右側板１２に対して左右方向に当接または近接している。また、第２横杆２５の右端部は、第２縦杆２２の下端部２２ｂの下方に配置され、第２縦杆２２の下端部２２ｂに対して溶着等により固定されている。第２横杆２５は、Ｌ型ブラケット状の第１固定部材２７および第２固定部材２８により一対の側板１１，１２に接続されている。第１固定部材２７は、第２横杆２５の左端部の下面と左側板１１の内面とに固定されている。第２固定部材２８は、第２横杆２５の右端部の下面と右側板１２の内面とに固定されている。
【００２８】
後面板１８の開口部１９は、前後方向から見て枠体２０の内側に形成されている。開口部１９は、上下方向および左右方向の双方向に沿って延びる矩形状に形成されている。開口部１９は、その内縁が前後方向から見て枠体２０の内縁と略一致するように形成されている。換言すると、枠体２０は、開口部１９の内縁に沿って配置されている。開口部１９には、透明な材料により形成されたパネル部材４が嵌め込まれている。パネル部材４を形成する材料としては、例えばガラスやアクリル等を用いることができる。パネル部材４は、後面板１８に対して固定されている。
【００２９】
図２および図４に示すように、収納什器２は、収納空間Ｓに１つまたは複数の棚板５を取り付け可能となっている。棚板５は、鋼板等の金属板により平面視矩形状に形成されている。棚板５の取付位置は、上下方向に変更可能となっている。
【００３０】
図１および図２に示すように、一対の収納什器２は、左右方向に隙間なく並んで配置され、互いに連結されている。各収納什器２は、上述した引戸３を設置可能に形成されている。具体的に、各収納什器２の天板１４の前端部における下面には、引戸３の上端が走行する一対のレール（不図示）が前後方向に並んだ状態で、左右方向に連続して延設されている。各収納什器２の底板１６の前端部における上面には、引戸３の下端が走行する一対のレール（不図示）が前後方向に並んだ状態で、左右方向に連続して延設されている。
【００３１】
図１に示すように、一対の引戸３は、それぞれ各収納什器２の天板１４の前端部と底板１６の前端部との間に設置され、上述したレールに沿って走行可能に形成されている。各引戸３は、収納空間Ｓを後面板１８とは反対側（前方）において開閉する（図４参照）。各引戸３は、フレーム３ａと、フレーム３ａの内側に嵌め込まれた透明パネル３ｂと、によりそれぞれ形成されている。
【００３２】
このように、本実施形態の収納什器２では、開口部１９の周囲に第１縦杆２１、第２縦杆２２、第１横杆２４および第２横杆２５を備える枠体２０が配置される。第１縦杆２１は、左側板１１に固定されているので、開口部１９の周囲において左側板１１を補強することができる。第２縦杆２２は、右側板１２に固定されているので、開口部１９の周囲において右側板１２を補強することができる。第１横杆２４は、第１縦杆２１の上端部２１ａと第２縦杆２２の上端部２２ａとを連結するので、第１縦杆２１および第２縦杆２２を介して一対の側板１１，１２の相対位置が変位することを抑制できる。第２横杆２５は、第１縦杆２１の下端部２１ｂと第２縦杆２２の下端部２２ｂとを連結するので、第１縦杆２１および第２縦杆２２を介して一対の側板１１，１２の相対位置が変位することを抑制できる。よって、前後方向に貫通した開口部１９を有する後面板１８を備えることにより収納空間Ｓを前後両側から視認可能としつつ、強度が低下した開口部１９周辺を枠体２０により補強することができる。したがって、前後両側から内部を視認可能で、かつ優れた強度を有する収納什器２を提供できる。
【００３３】
しかも、開口部１９の周囲に配置された一対の縦杆２１，２２および一対の横杆２４，２５のみにより収納什器２を補強することができるので、一対の縦杆２１，２２および一対の横杆２４，２５以外の補強部材を削減できる。したがって、収納什器２の製造コストを削減できる。
【００３４】
また、第１横杆２４は、天板１４に沿って配置されるとともに、天板１４に固定されているので、第１縦杆２１および第１横杆２４を介して左側板１１と天板１４とが接続され、第２縦杆２２および第１横杆２４を介して右側板１２と天板１４とが接続される。よって、一対の側板１１，１２と天板１４との相対位置が変位することを抑制できる。したがって、収納什器２の強度をより向上させることができる。
【００３５】
また、第２横杆２５と底板１６との距離Ｄ１は、天板１４と底板１６との距離Ｄ２の１／３よりも大きいので、荷重が大きくかかる後面板１８の下部に開口部が設けられることを回避できる。これにより、後面板１８の下部に開口部が設けられる構成と比較して、収納什器２の強度を向上させることができる。
【００３６】
また、収納什器２は、収納空間Ｓを前方において開閉する引戸３を設置可能に形成されているので、引戸３により収納空間Ｓを体裁よく閉塞することを可能にしつつ、収納空間Ｓを引戸３側（前方）の開口、および後面板１８の開口部１９の両方から視認できる。
【００３７】
そして、収納什器２は、収納空間Ｓを前後両側から視認可能となっているので、例えば収納什器２を学校の教室と廊下とを隔てる位置に収納空間Ｓの前方の開口（または引戸３）を教室側に向けた状態で設置することで、廊下側からも開口部１９を通じて収納空間Ｓを視認することが可能となる。これにより、収納什器２の収容物を教室側および廊下側の双方から確認することが可能となる。
【００３８】
なお、本発明は、図面を参照して説明した上述の実施形態に限定されるものではなく、その技術的範囲において様々な変形例が考えられる。
例えば、上記実施形態では、一対の縦杆２１，２２および一対の横杆２４，２５は、角柱状に形成されているが、これに限定されず、角管状に形成されてもよいし、円柱状や円管状等に形成されてもよい。
【００３９】
また、上記実施形態では、開口部１９にパネル部材４が嵌め込まれているが、これに限定されず、開口部１９を通じて収納什器２の内外が連通していてもよい。
また、上記実施形態では、後面板１８は、１枚の金属板により形成されているが、これに限定されず、金属板と、金属板の前面に配置された化粧板と、が積層された構造であってもよい。
また、上記実施形態では、後面板１８が一対の側板１１，１２、天板１４および底板１６に接続しているが、これに限定されず、一対の側板１１，１２、天板１４および底板１６のうち少なくとも１つに接続していればよい。
【００４０】
また、上記実施形態においては、収納什器ユニット１は、一対の収納什器２が並んで配置されることにより形成されているが、これに限定されず、１個の収納什器２により形成されていてもよいし、３個以上の収納什器２により形成されていてもよい。また、収納什器ユニットが複数の収納什器により形成されている場合、全ての収納什器の後面板が開口部１９を有する必要はなく、任意の収納什器の後面板に開口部１９を設ければよい。なお、後面板が開口部を有しない場合であっても、枠体２０が設けられていてもよい。
【００４１】
また、収納什器ユニットが複数の収納什器により形成されている場合、隣り合う収納什器の天板同士や底板同士を一体形成してもよい。また、隣り合う収納什器の隣接する側板同士を一体化してもよい。
【００４２】
また、上記実施形態においては、収納什器ユニット１は、収納什器２の収納空間Ｓの前方の開口を開閉する引戸３を備えているが、これに限定されず、扉を備えていてもよいし、引戸３や扉等を備えず収納空間Ｓを前方に常時開放するように形成されていてもよい。
【００４３】
その他、本発明の趣旨を逸脱しない範囲で、上記した実施の形態における構成要素を周知の構成要素に置き換えることは適宜可能である。
【符号の説明】
【００４４】
２…収納什器  ３…引戸  １１…左側板（側板）  １１ａ…左側板の上端部（側板の上端部）  １１ｂ…左側板の下端部（側板の下端部）  １１ｄ…左側板の後端部（側板の後端部）  １２…右側板（側板）  １２ａ…右側板の上端部（側板の上端部）  １２ｂ…右側板の下端部（側板の下端部）  １２ｄ…右側板の後端部（側板の後端部）  １４…天板  １４ａ…天板の後端部  １６…底板  １６ａ…底板の後端部  １８…後面板  １９…開口部  ２０…枠体  ２１…第１縦杆  ２１ａ…第１縦杆の上端部  ２１ｂ…第１縦杆の下端部  ２２…第２縦杆  ２２ａ…第２縦杆の上端部  ２２ｂ…第２縦杆の下端部  ２４…第１横杆  ２５…第２横杆
【図１】
2018068810.tif 000003
【図２】
2018068810.tif 000004
【図３】
2018068810.tif 000005
【図４】
2018068810.tif 000006
【図５】
2018068810.tif 000007